(57)【特許請求の範囲】
【請求項１】
流動焼却炉の炉体下部に水平方向に挿入された分散パイプの炉外側基部に、下方に屈曲するダクトを接続し、このダクトの下端面を水平面内でスライド可能なメタルパッキンを介して流動空気のヘッダー管の上面に接続するとともに、このヘッダー管の下面を上下方向に変位可能なスプリングハンガーにより弾性支持したことを特徴とする流動焼却炉の分散パイプ支持構造。
【請求項２】
分散パイプの炉外側基部と下方に屈曲するダクトとの間に、垂直面内でスライド可能なメタルパッキンを介在させたことを特徴とする請求項１記載の流動焼却炉の分散パイプ支持構造。
【請求項３】
ヘッダー管の下面とスプリングハンガーとの間に、水平面内の変位を許容する滑性シートを介在させたことを特徴とする請求項１記載の流動焼却炉の分散パイプ支持構造。
【請求項４】
分散パイプが流動焼却炉の炉体下部に片持支持されたものであることを特徴とする請求項１記載の流動焼却炉の分散パイプ支持構造。
【請求項５】
分散パイプが流動焼却炉の炉体下部に多数本平行に挿入されたものであり、ヘッダー管が流動焼却炉の炉体下部外周に配置されたものであることを特徴とする請求項１記載の流動焼却炉の分散パイプ支持構造。
【請求項６】
ヘッダー管の形状を炉体に沿って湾曲させたことを特徴とする請求項１記載の流動焼却炉の分散パイプ支持構造。
【発明の詳細な説明】
【技術分野】
【０００１】
本発明は、流動焼却炉の炉体下部に流動用空気を吹き込むために設けられている分散パイプの支持構造に関するものである。
【背景技術】
【０００２】
流動焼却炉は、炉体下部に設置された分散パイプから供給される高温の流動用空気の圧力によって珪砂などの流動媒体を流動させて流動床を形成し、炉内に投入された廃棄物を高温の流動媒体との接触により瞬時に破壊しつつ焼却する炉である。この構造の焼却炉は体積当たりの焼却能力が大きく、またダイオキシンの発生もないため、近年広く普及している。その一例が特許文献１に示されている。
【０００３】
分散パイプは炉体下部に水平方向に挿入されており、炉体下部外周に配置されたヘッダー管に接続されている。図１は従来方式の分散パイプの支持構造であって、分散パイプ１は炉体下部２に取付ノズル３によって取付けられており、ヘッダー管４との間は下方に屈曲するダクト５と、フレキシブルダクト６とを介して接続されていた。
【０００４】
ところがこのような流動焼却炉は、炉体内部で大量の流動媒体が上下動しているために常に強い振動が発生している。また分散パイプ１は熱伸び及び流動媒体による磨耗を考慮し、片持ち構造となっている。しかも処理量が２００トン／日規模の大型流動焼却炉の場合、分散パイプ１の長さは約３．０ｍ以上に達する。
【０００５】
さらに炉体内部は８００℃前後の高温となるため、炉体自体にも分散パイプ１にも熱膨張が発生する。従来構造では、フレキシブルダクト６にこれらの上下振動と熱膨張とをともに吸収させていた。しかし分散パイプ１が片持ち構造であることとも関連して、フレキシブルダクト６は絶えず大きな繰り返し荷重を受けることとなり、耐久性が低下するおそれがあった。そこで万一の破損を避けるために早めに交換する必要があるなど、メンテナンスに多くのコストを要していた。
【０００６】
また処理容量が２００トン/日以上の大型炉では、フレキシブルダクト６の長さが大き
くなるが、伸縮を要する部分であるためにその外周を耐火物によって保温することが困難である。このために内部に高温の流動用空気が流れるフレキシブルダクト６からの放熱が大きく、その分だけ余分の補助燃料を必要とするという問題もあった。処理容量が２００トン/日以上の大型炉では特に、ヘッダー管を直管形状とすると取付ノズル３のノズル長
が長くなり、取付ノズル３からの放熱が大きく、その分だけ余分の補助燃料を必要とするという問題もあった。
【特許文献１】特開２００１−２６３６３４号公報
【発明の開示】
【発明が解決しようとする課題】
【０００７】
従って本発明の目的は上記した従来の問題点を解決し、耐久性に優れるとともに、放熱による熱損失を抑制することができる流動焼却炉の分散パイプ支持構造を提供することである。
【課題を解決するための手段】
【０００８】
上記の課題を解決するためになされた本発明は、流動焼却炉の炉体下部に水平方向に挿入された分散パイプの炉外側基部に、下方に屈曲するダクトを接続し、このダクトの下端面を水平面内でスライド可能なメタルパッキンを介して流動空気のヘッダー管の上面に接
続するとともに、このヘッダー管の下面を上下方向に変位可能なスプリングハンガーにより弾性支持したことを特徴とするものである。
【０００９】
本発明においては、請求項２に記載のように分散パイプの炉外側基部と下方に屈曲するダクトとの間に、垂直面内でスライド可能なメタルパッキンを介在させた構造とすることが好ましい。また請求項３のように、ヘッダー管の下面とスプリングハンガーとの間に、水平面内の変位を許容する滑性シートを介在させた構造とすることが好ましい。また請求項４のように、分散パイプが流動焼却炉の炉体下部に片持支持されたものに特に有効である。さらに請求項５のように、分散パイプが流動焼却炉の炉体下部に多数本平行に挿入されたものであり、ヘッダー管が流動焼却炉の炉体下部外周に配置されたものであることが好ましい。請求項６のように、炉体とヘッダー管間の熱応力を抑制するために、ヘッダー管の形状を炉体に沿って湾曲させておくことが好ましい。
【００１０】
本発明は、処理量が２００トン／日以上の大型の流動焼却炉に特に有効であり、ヘッダー管の形状を炉体に沿って湾曲させるとともに、取付ノズル・ダクト・垂直管に耐火材を施すことで、炉体とヘッダー管の間に生じる熱応力を抑制するものである。
【発明の効果】
【００１１】
本発明の流動焼却炉の分散パイプ支持構造によれば、分散パイプの炉外側基部を水平面内でスライド可能なメタルパッキンを介して流動空気のヘッダー管の上面に接続し、ヘッダー管の下面を水平面内でスライド可能な滑性シートと上下方向に変位可能なスプリングハンガーにより弾性支持した。このため、運転中の上下方向の振動はスプリングハンガーのバネ力により吸収され、水平方向の振動および熱応力はメタルパッキン及び滑性シートにより吸収される。このため、従来のガラス繊維等のガスケットの様に振動に対し圧縮せず伸縮性を確保し、シール性を損なうことなく従来のフレキシブルダクトをなくすることができ、耐久性が向上した。また伸縮するフレキシブルダクトをなくしたことにより、分散パイプ支持構造を断熱材によって覆うことが可能となり、放熱による熱ロスも抑制することが可能となった。
【００１２】
請求項２の構造とすれば、分散パイプの炉外側基部と下方に屈曲するダクトとの間に、垂直面内でスライド可能なメタルパッキンを介在させたので、上下方向の振動によるシール性の低下をより確実に避けることができる。請求項３の構造とすれば、滑性シートによって水平方向の変位を更に吸収しやすくなる。本発明は請求項５のように、流動焼却炉の炉体下部に多数本平行に挿入された分散パイプを、流動焼却炉の炉体下部外周に配置されたヘッダー管に接続する部分に用いるに適している。また請求項６のように、ヘッダー管の形状を炉体に沿って湾曲させておくことにより、炉体とヘッダー管間の熱応力を抑制することができる。
【発明を実施するための最良の形態】
【００１３】
以下に図面を参照しつつ本発明の実施形態を説明する。
図２は本発明の実施形態を示す縦方向の断面図、図３は水平方向の断面図である。従来と同様に、分散パイプ１は炉体下部２に取付ノズル３によって取付けられている。分散パイプ１は片持支持され、図３に示すように分散パイプ１は流動焼却炉の炉体下部２に多数本平行に挿入されたものであるが、その支持構造は基本的に同一である。各分散パイプ１は流動焼却炉の炉体下部外周に配置されたヘッダー管４に接続されて高圧空気を供給され、炉内の流動媒体を流動させるものである。
【００１４】
分散パイプ１の炉外側基部には、下方に９０度屈曲させたダクト５が接続されている。このダクト５の前端面はフランジ１０を介して取付ノズル３に接続され、またこのダクト５の下端面はフランジ１１を介してヘッダー管４から延びる垂直管１２に接続されている
。従来一般にはこのようなフランジ接続部のシールにはガラス繊維等からなるガスケットが用いられていたのであるが、本発明ではメタルパッキンを用いる。
【００１５】
メタルパッキンはステンレス等を変形可能な断面形状に加工したリング状のパッキンであり、市販品を用いることができる。なおメタルパッキンの構造については、例えば特開２００２−３６４７５０号公報や特開２００８−３２１０６号公報に開示されている。この実施形態では、外側がステンレスでありその内部にロックウールを充填したメタルパッキンを用いた。
【００１６】
従来のガスケットとは異なり、メタルパッキンはフランジ面内においてスライド可能であり、フランジ１０の内部のメタルパッキンは垂直面内でスライド可能であり、フランジ１１の内部のメタルパッキンは水平面内でスライド可能である。このようなスライドを許容するためには、２枚の金属フランジも所要距離だけスライド可能に締め付けておく必要がある。
【００１７】
上記のように分散パイプ１の炉外側基部は、取付ノズル３、フランジ１０、ダクト５、フランジ１１、垂直管１２を介してヘッダー管４に接続されているが、本発明ではヘッダー管４の下側にも、特殊な支持構造が採用されている。
【００１８】
すなわち、垂直管１２の直下のヘッダー管４の下側には支持ベース１３が設けられ、支持ベース１３はスプリングハンガー１４によって基台１５に支持されている。スプリングハンガー１４は図４に示すように中心のガイドポスト１８の周りにコイルスプリング１７を設け、昇降体１６に作用する垂直荷重をコイルスプリング１７によって弾性的に支持する機構である。
【００１９】
このスプリングハンガー１４はヘッダー管４に作用する垂直荷重を弾性的に支持することができるものであるが、この実施形態ではさらにスプリングハンガー１４の上面板２０と支持ベース１３の下面との間に水平面内の変位を許容する滑性シート２１を介在させて、ヘッダー管４の下面とスプリングハンガー１４との間に、水平面内の変位を許容する構造としてある。滑性シート２１としては、フッ素樹脂シートのような耐熱性が大きく、摩擦係数の小さいシートが用いられる。これによって垂直及び水平方向の変位が許容されることとなる。
【００２０】
このように構成された本発明の流動焼却炉の分散パイプ支持構造によれば、流動焼却炉の運転時に発生する上下方向の振動は分散パイプ１を介してヘッダー管４に伝達されるが、ヘッダー管４がスプリングハンガー１４によって弾性的に支持されているので、上下方向の振動を吸収することができる。なおフランジ１０に設けたメタルパッキンの部分でも上下方向の変位を吸収することができる。
【００２１】
また熱膨張や炉体の横方向の振動によって水平方向の力が分散パイプ１とヘッダー管４との間に作用するが、フランジ１１に設けたメタルパッキンの水平面内におけるスライドや、滑性シート２１の滑りによって水平方向の変位を吸収することができる。このため、本発明によれば従来のような耐久性に不安の残るフレキシブルダクトを使用しなくても、炉体の振動や熱膨張を吸収することができる。さらに図３に示すように、ヘッダー管４の形状を炉体に沿って湾曲させておくことにより、炉体とヘッダー管４間の熱応力を抑制することができる。
【００２２】
このため設備の耐用年数が増加すること、設備の安全性が向上することなどの利点がある。また、従来は保温できなかったフレキシブルダクトをなくし、ダクト５や垂直管１２の外周をキャスタブル耐火物によって保温することが可能となり、熱損失の抑制を図るこ
とも可能となる。なお本発明は処理容量が２００トン/日以上の大型炉において特に有効
であるが、それ以下の容量の小型炉にも適用できることはいうまでもない。
【図面の簡単な説明】
【００２３】
【図１】従来構造を示す縦断面図である。
【図２】本発明の実施形態を示す縦断面図である。
【図３】本発明の実施形態を示す水平断面図である。
【図４】スプリングハンガーの断面図である。
【符号の説明】
【００２４】
１  分散パイプ
２  炉体下部
３  取付ノズル
４  ヘッダー管
５  ダクト
６  フレキシブルダクト
１０  フランジ
１１  フランジ
１２  垂直管
１３  支持ベース
１４  スプリングハンガー
１５  基台
１６  昇降体
１７  コイルスプリング
１８  ガイドポスト
２０  上面板
２１  滑性シート
【図１】
0005091736.tif 000002
【図２】
0005091736.tif 000003
【図３】
0005091736.tif 000004
【図４】
0005091736.tif 000005